(57)【特許請求の範囲】
【請求項１】
運転席が設けられているキャブと、
当該キャブの後方に設けられているシャシーと、
当該シャシーに固定され、長手方向が前後方向に延びる略直方体形の荷台と、当該荷台の床面の中央部に長手方向に沿って並べて配置される第１の検査部及び第２の検査部からなる、爆発物の有無を検査するための爆発物検査ユニットと、
前記荷台の後部に設けられ、前記荷台の後方に形成された搬入口を開閉する扉体と、
前記搬入口が開放された状態で、前記荷台の後部に短手方向に並べて設置され、被検者が荷台の内部に移動する際の踏み台となる入口部及び被検者が荷台から外部に移動する際の踏み台となる出口部と、を備え、
前記入口部から前記出口部までの動線が、前記入口部から前記荷台の長手方向に進み、前記第１の検査部及び前記第２の検査部の側方を通り、前記第２の検査部で折り返し、前記第２の検査部及び前記第１の検査部の側方を通って前記出口部に向かうように設定され、
前記第１の検査部は、被検者の指先に付着している物質のサンプリングを行い、
前記第２の検査部は、前記第１の検査部がサンプリングした物質に爆発物が含有しているか否かを判定するものであることを特徴とする移動式爆発物検査用車両。
【請求項２】
前記入口部と前記出口部との間を仕切る仕切ネットを更に設けたことを特徴とする請求項１記載の移動式爆発物検査用車両。
【請求項３】
前記扉体は、上端部が前記荷台における前記搬入口の上部に回動自在に軸支されていることを特徴とする請求項１又は２記載の移動式爆発物検査用車両。
【発明の詳細な説明】
【技術分野】
【０００１】
本発明は、荷台に爆発物検査ユニットが設置されており、任意の場所に移動して爆発物検査を行う移動式爆発物検査用車両に関する。
【背景技術】
【０００２】
近年、空港において、手荷物に付着した爆発物成分を自動で検査できる爆発物探知装置が開発され、例えば、テロリストの侵入を未然に防ぐといった安全強化を目的として空港など公共施設に設置されている。この技術により、爆発物成分の検査が数秒程度で実施できるようになった。
【０００３】
原子力発電所においても、このような爆発物探知装置を導入して建物内に立ち入る際に爆発物検査を行うことが望まれている。しかし、爆発物を検査するための検査用建物を建設する場所が、発電所の敷地内にない場合がある。
【０００４】
そこで従来、特許文献１に記載されているように、爆発物検査装置及び危険物所持検査装置が荷台に配置された移動式検査用車両が提案されている。これにより、任意の場所へ移動可能とすることで、検査体制を整えるまでの時間を短縮するとともに、高度な保安検査を実施することが可能になる。
【先行技術文献】
【特許文献】
【０００５】
【特許文献１】特開２０１３−１５１１７３号公報
【発明の概要】
【発明が解決しようとする課題】
【０００６】
ところで、特許文献１に記載されている移動式検査用車両においては、被検者は、移動式検査用車両の後方から荷台内に入り、まず、ふき取り式爆発物検査装置（ＥＴＤ）によって被検者の荷物に爆発物が含まれているか否かの検査を行う。次に、被検者は、門型金属探知機を通って危険物所持検査を行い、車両の側方から車外に出る。このように被検者によってＬ字形の動線が描かれながら、検査が進められる。
【０００７】
しかしながら、特許文献１に記載されている移動式検査用車両においては、車両の後方と側方に被検者が通過するためのエリアを確保する必要がある。このため、検査場所としては移動式検査用車両の駐車エリアとその周辺エリアを含む広範囲に渡るエリアが必要となり、敷地内において爆発物検査が実施できる場所が限定される。しかも、車両に入る被検者と車両から出る被検者とを監視するためには、車両の後方と側方にそれぞれ監視員を配置する必要があり、被検者の監視が容易ではない。
【０００８】
本発明は、このような問題点を解決し、検査場所として確保するエリアを小さくするとともに、被検者の監視を容易に行うことを実現した移動式爆発物検査用車両を提供することを目的とする。
【課題を解決するための手段】
【０００９】
前記目的を達成するため、本発明は、次に記載する構成を備えている。
【００１０】
（１）  運転席が設けられているキャブと、当該キャブの後方に設けられているシャシーと、当該シャシーに固定され、長手方向が前後方向に延びる略直方体形の荷台と、当該荷台の床面の中央部に長手方向に沿って並べて配置される第１の検査部及び第２の検査部からなる、爆発物の有無を検査するための爆発物検査ユニットと、前記荷台の後部に設けられ、前記荷台の後方に形成された搬入口を開閉する扉体と、前記搬入口が開放された状態で、前記荷台の後部に短手方向に並べて設置され、被検者が荷台の内部に移動する際の踏み台となる入口部及び被検者が荷台から外部に移動する際の踏み台となる出口部と、を備え、前記入口部から前記出口部までの動線が、前記入口部から前記荷台の長手方向に進み、前記第１の検査部及び前記第２の検査部の側方を通り、前記第２の検査部で折り返し、前記第２の検査部及び前記第１の検査部の側方を通って前記出口部に向かうように設定されることを特徴とする移動式爆発物検査用車両。
【００１１】
（１）によれば、被検者は、車両の後部のみから入出することになるため、従来のように、車両の側部に被検者が通るエリアを確保する必要がなくなる。このため、移動式爆発物検査用車両を配置するエリアをコンパクトにすることができ、検査場所の確保が容易に可能となる。しかも、被検者の出入りの監視を行い易くすることが可能になるとともに、被検者の動線を容易に確保することが可能になる。
【００１２】
（２）  （１）において、前記入口部と前記出口部との間を仕切る仕切ネットを更に設けたことを特徴とする移動式爆発物検査用車両。
【００１３】
（２）によれば、入口部側の被検者が、出口部側の被検者に手荷物等を手渡すことが不可能になる。これにより、爆発物を所持している入口部側の被検者が、検査が終了した被検者に爆発物を手渡して発電所建物内に爆発物を持ち込む、という行為ができなくなり、発電所建物内への爆発物の持ち込みを未然に防ぐことが可能になる。
【００１４】
（３）  （１）、（２）において、前記扉体は、上端部が前記荷台における前記搬入口の上部に回動自在に軸支されていることを特徴とする移動式爆発物検査用車両。
【００１５】
（３）によれば、扉体が、車両の外部で待機している被検者の日よけや雨よけとなり、検査待ちの被検者の負担を軽減することが可能になる。
【００１６】
（４）  （１）〜（３）において、前記第１の検査部は、被検者の指先に付着している物質のサンプリングを行い、前記第２の検査部は、前記第１の検査部がサンプリングした物質に爆発物が含有しているか否かを判定するものであることを特徴とする移動式爆発物検査用車両。
【００１７】
（４）によれば、被検者が爆発物を所持していなくても、爆発物に関わっている者であるか否かを判断することが可能になり、そのような者の原子力発電所内へ入場を規制することが可能になる。これにより、原子力発電所内への爆発物の持ち込みをより確実に防止することが可能になる。
【発明の効果】
【００１８】
本発明によれば、被検者が、車両の後部のみから入出することになるため、従来のように、車両の側部に被検者が通るエリアを確保する必要がなくなる。このため、移動式爆発物検査用車両を配置するエリアをコンパクトにすることができ、検査場所の確保が容易に可能となる。しかも、被検者の出入りの監視を行い易くすることが可能になるとともに、被検者の動線を容易に確保することが可能になる。
【図面の簡単な説明】
【００１９】
【図１】本発明の一実施形態における移動式爆発物検査用車両１の外観を示す側面図である。
【図２】爆発物検査を実施する際の移動式爆発物検査用車両１の状態を示す説明図である。
【図３】移動式爆発物検査用車両１における荷台１４の内部を示す側面図である。
【図４】移動式爆発物検査用車両１における荷台１４の内部を示す平面図である。
【図５】被検者が移動する動線を示す説明図である。
【発明を実施するための形態】
【００２０】
以下、本発明の一実施形態について、図面を参照しながら詳細に説明する。
図１は、本発明の一実施形態における移動式爆発物検査用車両１の外観を示す側面図である。
【００２１】
［検査用車両の概略構成］
移動式爆発物検査用車両１は、キャブ１０と、シャシー１２と、荷台１４と、を備えている。キャブ１０には、運転席が設けられている。シャシー１２は、エンジンやタイヤ等、移動式爆発物検査用車両１を走行させるための基本部品を支持するものであり、シャシー１２の前方にキャブ１０が設けられ、シャシー１２上に荷台１４が固定される。荷台１４は、直方体形の箱体からなり、荷台１４の長手方向がシャシー１２の長手方向に沿うように配置される。
【００２２】
荷台１４の後部に電動ハッチ１５が設けられている。この電動ハッチ１５は、扉体に相当する開閉扉１５ａと、開閉扉１５ａを電力によって回動させる駆動機構（図示せず）とを有する。開閉扉１５ａは、上端部が荷台１４における搬入口１４ａの上部に回動自在に軸支されており、開閉扉１５ａが駆動機構（図示せず）によって上方に持ち上げられることにより、荷台１４の搬入口１４ａが開放され、被検者の荷台１４内部への出入りが可能になる。なお、以下の説明の便宜上、移動式爆発物検査用車両１において、シャシー１２の長手方向を前後方向、鉛直方向を上下方向、前後方向及び上下方向に垂直な方向を左右方向と称することにする。特に、左右方向において、運転席側を右側、助手席側を左側と称することにする。
【００２３】
また、移動式爆発物検査用車両１は、図１に示すように、電源装置２０と、防振用アウトリガー２２と、を備えている。電源装置２０は、シャシー１２の下部に設置され、分電盤やトランス等を備えている。防振用アウトリガー２２は、上下方向に伸縮するジャッキ２３を備えている。防振用アウトリガー２２は、荷台１４の四隅の外側近傍に配置されており、ジャッキ２３を延ばして移動式爆発物検査用車両１の車体を若干持ち上げた状態とすることにより、移動式爆発物検査用車両１は安定した状態で維持される。
【００２４】
図２は、爆発物検査を実施する際の移動式爆発物検査用車両１の状態を示す説明図であり、図２（ａ）は側面図、図２（ｂ）は正面図である。
【００２５】
爆発物検査を実施する際には、図２（ａ）に示すように、移動式爆発物検査用車両１の電動ハッチ１５を開き、開閉扉１５ａを上方に回動させて、開閉扉１５ａの板面と荷台１４の上面とが略面一になるように開閉扉１５ａを位置付ける。更に、開閉扉１５ａと地面との間に支柱２４を建てて、開閉扉１５ａが閉じないように補強する。
【００２６】
また、搬入口１４ａの後方には、図２（ｂ）に示すように、被検者が荷台の内部に移動する際の踏み台となる入口部２６と、被検者が荷台から外部に移動する際の踏み台となる出口部２７とが短手方向に並べて設置される。入口部２６と出口部２７とは同一の構成であり、本実施形態によれば入口部２６が左側に、出口部２７が右側にそれぞれ配置される。
【００２７】
入口部２６と出口部２７との間には、仕切ネット２８が配置される。この仕切ネット２８は、上端が開閉扉１５ａに取り付けられており、下端が開閉扉１５ａから垂下する。仕切ネット２８は、きめの細かい網目を有しており、例えば、入口部２６側から出口部２７側の様子を視認することは可能であるが、入口部２６側の被検者が、出口部２７側の被検者に手荷物等を手渡すことは不可能である。
【００２８】
なお、支柱２４、入口部２６、出口部２７及び仕切ネット２８等は、通常は荷台１４の内部に収納されており、爆発物検査を実施する際に荷台１４から搬出され、所定の場所に設置される。
【００２９】
［検査用車両の内部構成］
図３は、移動式爆発物検査用車両１における荷台１４の内部を示す側面図であり、図４は、移動式爆発物検査用車両１における荷台１４の内部を示す平面図である。
【００３０】
荷台１４の内部には、照明器具３０、エアコン３２、フリーアクセスフロア３４、爆発物検査ユニット３６等が備えられている。
【００３１】
照明器具３０は、荷台１４の内部を照明するものであり、荷台１４の天井に装着されている。エアコン３２は、室内機３２ａと室外機３２ｂとからなり、室内機３２ａは、荷台１４の内部における前側の壁面上部に設置され、室外機３２ｂは、キャブ１０と荷台１４との間に設置されている。
【００３２】
フリーアクセスフロア３４は、荷台１４の内部の床面に敷設される。フリーアクセスフロア３４が敷設されることにより、荷台１４自体の床面とフリーアクセスフロア３４の床材との間にケーブル等を通すことが可能な空間が形成される。
【００３３】
爆発物検査ユニット３６は、第１の検査部に相当する爆発物サンプリング装置３８、爆発物サンプリング装置設置用台３９、第２の検査部に相当する爆発物検知装置４０、及び爆発物検知装置設置用台４１を備えている。
【００３４】
爆発物サンプリング装置３８は、被検者の指先に付着している物質のサンプリングを行うものである。
爆発物サンプリング装置設置用台３９は、爆発物サンプリング装置３８を載せる台である。
爆発物検知装置４０は、爆発物サンプリング装置３８がサンプリングした物質に爆発物が含有しているか否かを判定し、爆発物が含有していると判定した場合に、爆発物の成分を分析するものである。
爆発物検知装置設置用台４１は、爆発物検知装置４０を載せる台である。
【００３５】
爆発物サンプリング装置設置用台３９及び爆発物検知装置設置用台４１は、荷台１４の内部のフリーアクセスフロア３４の中央部に、前方に向かって爆発物サンプリング装置設置用台３９、爆発物検知装置設置用台４１の順に長手方向に沿って並べて配置される。
爆発物サンプリング装置３８及び爆発物検知装置４０は、爆発物サンプリング装置設置用台３９及び爆発物検知装置設置用台４１にそれぞれ載せられる。
【００３６】
この時、荷台１４の後部と爆発物サンプリング装置３８との間に、爆発物サンプリング装置３８の操作者が配置できるスペースが形成され、爆発物サンプリング装置３８と爆発物検知装置４０との間に爆発物検知装置４０の操作者が配置できるスペースが形成され、爆発物検知装置４０と荷台１４の前側壁面との間に被検者が通過できるスペースが形成されるように、爆発物サンプリング装置設置用台３９及び爆発物検知装置設置用台４１の配置場所が設定されている。
【００３７】
このように、荷台１４の内部のフリーアクセスフロア３４の中央部に、爆発物サンプリング装置設置用台３９及び爆発物検知装置設置用台４１は配置されることによって、爆発物サンプリング装置設置用台３９及び爆発物検知装置設置用台４１の左側に、荷台１４の長手方向に延びる左通路４２が形成される。また、爆発物サンプリング装置設置用台３９及び爆発物検知装置設置用台４１の右側に、荷台１４の長手方向に延びる右通路４４が形成される。
【００３８】
また、フリーアクセスフロア３４には、被検者が通る経路を示す矢印形の指標４６が表示されている。具体的には、左通路４２には、前方への移動を示す指標４６が表示されており、爆発物検知装置４０と荷台１４の前側壁面との間の通路には、折り返して左通路４２から右通路４４への移動を示す指標４６が表示されており、右通路４４には、後方への移動を示す指標４６が表示されている。
【００３９】
照明器具３０、エアコン３２、爆発物サンプリング装置３８、爆発物検知装置４０の電源は、電源装置２０から取得する。電源装置２０に接続された電源ケーブル５０は、フリーアクセスフロア３４内に通され、各種の装置に接続される。
【００４０】
［爆発物検査の流れ］
次に、爆発物検査について図５を参照しながら説明する。
図５は、被検者が移動する動線を示す説明図である。爆発物検査を実施する際には、爆発物サンプリング装置３８及び爆発物検知装置４０の電源をオンにするとともに、２人の操作員を所定の場所に配置する。ここで、２人の操作員は、警備員を兼ねる。
【００４１】
検査待ちの被検者は、開閉扉１５ａの下方で待機する。この時、開閉扉１５ａは、日よけあるいは雨よけとして機能する。そして、被検者は、順番に入口部２６から荷台１４の内部に入り、左通路４２を通って爆発物サンプリング装置３８に移動して、爆発物サンプリング装置３８よるサンプル抽出処置を受ける。処置を受けた被検者は、指標４６に従って左通路４２を移動し、爆発物検知装置４０を折返し地点として、右通路４４に移動し、右通路４４で検査結果が出るまで待機する。この際、先頭の被検者は、爆発物サンプリング装置３８の操作者よりも前側で待機させる。
【００４２】
爆発物サンプリング装置３８よるサンプルは、爆発物検知装置４０の操作員が爆発物サンプリング装置３８からサンプルを取得して、爆発物検知装置４０にそのサンプルをセットする。そして、爆発物検知装置４０の操作員は、爆発物検知装置４０による判定結果に基づいて、被検者が原子力発電所建物に入ることの「可」、「不可」を決定する。
【００４３】
例えば、爆発物検知装置４０の判定結果が、サンプルに爆発物が含有していないというものであれば、爆発物検知装置４０の操作員は、被検者に「可」である旨を被検者に告知する。爆発物検知装置４０による判定結果がサンプルに爆発物が含有しているというものであれば、爆発物検知装置４０の操作員は、爆発物の種類に基づいて「可」、「不可」を決定する。
【００４４】
「可」と決定された被検者は、その旨が告知されて、出口部２７から車両の外部に出る。「不可」と告知された被検者は、爆発物サンプリング装置３８の操作員とともに出口部２７から車両の外部に出た後、所定の検査を受けることになる。
【００４５】
以上、説明したように構成された本実施形態によれば、被検者は、車両の後部のみから入出することになるため、従来のように、車両の側部に被検者が通るエリアを確保する必要がなくなるため、移動式爆発物検査用車両１を配置するエリアをコンパクトにすることができ、検査場所の確保が容易に可能となる。
【００４６】
また、本実施形態によれば、被検者は、車両の後部のみから入出することになるため、被検者の出入りの監視を行い易くすることが可能になる。また、被検者の動線を容易に確保することが可能になる。
【００４７】
また、本実施形態によれば、爆発物サンプリング装置３８よるサンプル抽出が終了した後であっても、爆発物検査の結果が出るまでは荷台１４内で待機することになる。しかも、入口部２６及び出口部２７が車両の後方であるため、爆発物検査の結果が出ないのにも関わらず、被検者が荷台１４から出ることは困難になる。
【００４８】
また、本実施形態によれば、入口部２６と出口部２７との間に仕切ネット２８が配置されているため、例えば、入口部２６側の被検者が、出口部２７側の被検者に手荷物等を手渡すことが不可能になる。これにより、仮に入口部２６側の被検者が爆発物を所持している場合に、その爆発物を所持したまま移動式爆発物検査用車両１に入ることを避けるために、検査が終了した被検者に爆発物を手渡すという行為ができなくなり、発電所建物内への爆発物の持ち込みを未然に防ぐことが可能になる。
【００４９】
また、本実施形態によれば、開閉扉１５ａが上方に開くため、開閉扉１５ａが、車両の外部で待機している被検者の日よけや雨よけとなり、検査待ちの被検者の負担を軽減することが可能になる。
【００５０】
また、本実施形態によれば、爆発物サンプリング装置３８が、被検者の指先に付着している物質のサンプリングを行い、爆発物検知装置４０は、爆発物サンプリング装置３８がサンプリングした物質に爆発物が含有しているか否かを判定する。このため、被検者が爆発物を所持していなくても、爆発物に関わっている者であるか否かを判断することが可能になり、そのような者の原子力発電所内へ入場を規制することが可能になる。このように、原子力発電所内への爆発物の持ち込みをより確実に防止することが可能になる。
【符号の説明】
【００５１】
１  移動式爆発物検査用車両
１０  キャブ
１２  シャシー
１４  荷台
１４ａ  搬送口
１５  電動ハッチ
１５ａ  開閉扉
２０  電源装置
２２  防振用アウトリガー
２３  ジャッキ
２４  支柱
２６  入口部
２７  出口部
２８  仕切ネット
３０  照明器具
３２  エアコン
３２ａ  室内機
３２ｂ  室外機
３４  フリーアクセスフロア
３６  爆発物検知ユニット、
３８  爆発物サンプリング装置
３９  爆発物サンプリング装置設置用台
４０  爆発物検知装置
４１  爆発物検知装置設置用台
４２  左通路
４４  右通路
４６  指標
５０  電源ケーブル
【図１】
0006540282.tif 000002
【図２】
0006540282.tif 000003
【図３】
0006540282.tif 000004
【図４】
0006540282.tif 000005
【図５】
0006540282.tif 000006